(57)【要約】      （修正有）【課題】物品に縫い付けたタグが汚れたりタグの表示がかすれたりするのを防止できて長期に亘ってタグに表示した内容を良好に読み取れるようにしたタグの取付構造を提供する。【解決手段】物品情報１０を表示したタグ１に透明な保護袋１２が套嵌され、保護袋１２の開口側が開口を塞ぐようにタグ１と共に物品側に縫い付けられている。また、タグ１の長手方向の一端側が保護袋１２の開口から長手方向の他端側に向けて挿入されており、タグ１はその長手方向の中央部で折り返されてタグ１の他端側が保護袋１２の外面に沿うように配置され、タグ１の折返部側と保護袋１２の開口側とが、物品側に縫い付けられている。【選択図】図１
0003179494.tif 000002
【実用新案登録請求の範囲】
【請求項１】
物品情報（１０）を表示したタグ（１）に透明な保護袋（１２）が套嵌され、保護袋（１２）の開口（１３）側が開口（１３）を塞ぐようにタグ（１）と共に物品側に縫い付けられていることを特徴とするタグの取付構造。
【請求項２】
タグ（１）が細長い短冊状に形成され、保護袋（１２）は長手方向の一端が開口した扁平で細長い袋状に形成され、タグ（１）の長手方向の一端側が保護袋（１２）の開口（１３）から長手方向の他端側に向けて挿入されており、タグ（１）はその長手方向の中央部で折り返されてタグ（１）の他端側が保護袋（１２）の外面に沿うように配置され、タグ（１）の折返部（１５）側と保護袋（１２）の開口（１３）側とが、保護袋（１２）の開口（１３）を塞ぐと共に折返部（１５）の折り返し状態を保持すべく物品側に縫い付けられていることを特徴とする請求項１に記載のタグの取付構造。
【請求項３】
前記タグ（１）に物品を管理するためのロット番号（１０ａ）が表示されており、タグ（１）のロット番号（１０ａ）が表示された側が保護袋（１２）に挿入されていることを特徴とする請求項１又は２に記載のタグの取付構造。
【請求項４】
前記タグ（１）はポリエステル繊維等の合成繊維によりシート状に形成され、保護袋（１２）はポリプロピレン等の透明な合成樹脂フィルムにより構成されていることを特徴とする請求項１〜３のいずれかに記載のタグの取付構造。
【考案の詳細な説明】
【技術分野】
【０００１】
本考案は、製品や商品等の物品情報を表示したタグの取付構造に関するものである。
【背景技術】
【０００２】
従来のタグの取付構造には、物品情報を表示したタグを物品に縫い付けるようにしたものがある（例えば引用文献１）。
【先行技術文献】
【特許文献】
【０００３】
【特許文献１】実用新案登録第３０６７１３９号公報
【考案の概要】
【考案が解決しようとする課題】
【０００４】
しかし、従来の場合、タグが外部に露出した状態で物品に縫い付けられていたため、物品を使用すると、短期間の使用でタグが汚れたりタグの表示がかすれたりしてタグに表示した内容が読み取れなくなるという問題があった。
本考案は上記問題点に鑑み、物品に縫い付けたタグが汚れたりタグの表示がかすれたりするのを防止できて長期に亘ってタグに表示した内容を良好に読み取れるようにしたタグの取付構造を提供することを目的としている。
【課題を解決するための手段】
【０００５】
本考案における課題解決のための具体的手段は、次の通りである。
この技術的課題を解決する本考案の技術的手段は、物品情報１０を表示したタグ１に透明な保護袋１２が套嵌され、保護袋１２の開口１３側が開口１３を塞ぐようにタグ１と共に物品側に縫い付けられている点にある。
また、本考案の他の技術的手段は、タグ１が細長い短冊状に形成され、保護袋１２は長手方向の一端が開口した扁平で細長い袋状に形成され、タグ１の長手方向の一端側が保護袋１２の開口１３から長手方向の他端側に向けて挿入されており、タグ１はその長手方向の中央部で折り返されてタグ１の他端側が保護袋１２の外面に沿うように配置され、タグ１の折返部１５側と保護袋１２の開口１３側とが、保護袋１２の開口１３を塞ぐと共に折返部１５の折り返し状態を保持すべく物品側に縫い付けられている点にある。
【０００６】
また、本考案の他の技術的手段は、前記タグ１に物品を管理するためのロット番号１０ａが表示されており、タグ１のロット番号１０ａが表示された側が保護袋１２に挿入されている点にある。
また、本考案の他の技術的手段は、前記タグ１はポリエステル繊維等の合成繊維によりシート状に形成され、保護袋１２はポリプロピレン等の透明な合成樹脂フィルムにより構成されている点にある。
【考案の効果】
【０００７】
本考案によれば、タグは保護袋で保護されるため、タグが汚れたりタグの表示がかすれたりするのを防止でき、また、透明な保護袋を通してタグに表示された内容を明確に読み取ることができ、長期に亘ってタグに表示した内容を良好に読み取ることができるようになる。また、タグに套嵌した保護袋の開口は縫い付けにより塞がれるため、物品を使用してもタグが保護袋から簡単に抜脱するおそれもなくなり、保護袋によってタグを長期に亘って確実に保護することができる。また、保護袋には物品情報を表示する必要がないので、汚れの付き難い合成樹脂フィルム等で形成することが可能になるため、保護袋自体に汚れが付きにくくなし得るし、保護袋に汚れが付着しても簡単に拭き取ることができるようになし得る。
【図面の簡単な説明】
【０００８】
【図１】本考案の一実施形態を示すベルトスリングの一端部の斜視図である。
【図２】同図１のＡ−Ａ線断面図であるである。
【図３】同ベルトスリングの全体斜視図である。
【図４】同タグ及び保護袋の斜視図である。
【考案を実施するための形態】
【０００９】
以下、本考案の実施の形態を図面に基づいて説明する。
図面の図１〜図４は本考案の一実施形態を示している。図１〜図４において、タグ１が取り付けられる物品（製品、商品）の一例であるベルトスリング３は、重量物を吊り下げるためのもので、ポリエステル繊維等の合成繊維を帯状に織成した１本の帯状部材Ａを２つ折り状に折り返し、その両端部を残して２重になった部分を互いに重合固着するように縫製することにより形成されており、ベルトスリング３は帯状部材Ａが２重になったベルト本体５を有すると共に、その両端部に吊り下げ用フックを引っ掛けるためのループ部７，８を有している。
【００１０】
タグ１は物品であるベルトスリング３の物品情報１０を表示するものであり、タグ１はポリエステル繊維等の合成繊維をシート状に織成したものを切断して細長い短冊状に形成されている。タグ１の表面１ａ及び裏面１ｂに、物品（ベルトスリング３）の種類や長さや大きさや品番や物品の使用方法や取り扱い方法等の物品情報１０が表示されている。また、タグ１の表面１ａに物品情報１０の１つとして物品を管理するためのロット番号１０ａが表示されている。
【００１１】
前記物品情報１０を表示したタグ１に透明な保護袋１２が套嵌され、保護袋１２の開口１３側が開口１３を塞ぐようにタグ１と共に物品であるベルトスリング３に縫い付けられている。
保護袋１２はポリプロピレン等の透明な樹脂フィルムにより構成されて、長手方向の一端が開口した扁平で細長い長方形の袋状に形成されている。従って、保護袋１２は長手方向の一端に開口１３を有している。
【００１２】
タグ１の長手方向の一端側が保護袋１２の開口１３から長手方向の他端側に向けて挿入されており、タグ１はその長手方向の中央部で折り返されてタグ１の他端側が保護袋１２の外面に沿うように配置されている。
そして、タグ１の折返部１５側と保護袋１２の開口１３側とが、保護袋１２の開口１３を塞ぐと共に折返部１５の折り返し状態を保持すべくベルトスリング３に縫い付けられている。この縫い付けは、具体的には、図２に示すように、上記の如くベルトスリング３を縫製する際に、一方のループ部７の基部における帯状部材Ａの第１重合部ａと第２重合部ｂとの間に、タグ１の折返部１５側と保護袋１２の開口１３側とを挿入して、帯状部材Ａの第１重合部ａと第２重合部ｂと第３重合部ｃと共にこれらを重合固着するように縫製１７したものである。
【００１３】
そして、タグ１の保護袋１２に挿入された一端側には、物品の種類や長さや最大使用重量等の重要な物品情報１０が表示されていると共に、もっとも重要な物品情報１０であるロット番号１０ａが表示されている。従って、タグ１のロット番号１０ａが表示された側が保護袋１２に挿入されている。
上記実施形態によれば、物品情報１０を表示したタグ１に透明な保護袋１２が套嵌され、保護袋１２の開口１３側が該開口１３を塞ぐようにタグ１と共にベルトスリング３側に縫い付けられているので、タグ１は保護袋１２で保護されるため、タグ１が汚れたりタグ１の表示がかすれたりするのを防止でき、また、透明な保護袋１２を通してタグ１に表示された内容（物品情報１０）を明確に読み取ることができ、長期に亘ってタグ１に表示した内容を良好に読み取ることができるようになる。また、タグ１に外嵌した保護袋１２の開口１３は縫い付けにより塞がれるため、ベルトスリング３を使用してもタグ１が保護袋１２から簡単に抜脱するおそれもなくなり、保護袋１２によってタグ１を長期に亘って確実に保護することができる。
【００１４】
また、前記実施形態では、タグ１の長手方向の一端側が保護袋１２の開口１３から長手方向の他端側に向けて挿入されており、タグ１はその長手方向の中央部で折り返されてタグ１の他端側が保護袋１２の外面に沿うように配置され、タグ１の折返部１５側と保護袋１２の開口１３側とが、保護袋１２の開口１３を塞ぐと共に折返部１５の折り返し状態を保持すべくベルトスリング３に縫い付けられているので、細長いタグ１をその長手方向の中央部で折り返された状態で、ベルトスリング３にコンパクトに縫い付けると共に、タグ１の一端側に保護袋１２が套嵌された状態に保持することができ、タグ１の一端側に表示された重要な物品情報１０を長期間に亘って容易に読み取れるようになし得る。
【００１５】
また、前記タグ１にベルトスリング３を管理するためのロット番号１０ａが表示されており、タグ１のロット番号１０ａが表示された側が保護袋１２に挿入されているので、タグ１の最も重要な物品情報１０であるロット番号１０ａを長期に亘って確実に読み取ることができるようになる。
また、前記タグ１はポリエステル繊維によりシート状に形成され、保護袋１２はポリプロピレン等の透明な合成樹脂フィルムにより構成されているので、タグ１を長期間に亘って破損したり損傷したりしないように頑丈に形成することができるし、保護袋１２自体に汚れが付きにくくなるし、汚れが付着しても簡単に拭き取ることが可能になり、この点からも長期に亘ってタグ１に表示した内容を良好に読み取ることができるようになる。
【００１６】
なお、前記実施形態では、タグ１が縫い付けられる物品としてベルトスリング３に適用実施しているが、タグ１が縫い付けられる物品はベルトスリング３に限定されず、ラッシングベルト、ズボン等の衣服、鞄、靴その他であってもよい。
また、前記実施形態では、タグ１に透明な保護袋１２が套嵌されて、タグ１の一端側のみが保護袋１２に挿入されているが、これに代え、タグ１の全体を保護袋１２に挿入するようにしてもよいし、タグ１の半分よりも少ない一部のみを保護袋１２に挿入するようにし、タグ１を３つ折り以上に折り畳んだ状態で物品に縫い付けるようにしてもよい。
【符号の説明】
【００１７】
１      タグ
３      ベルトスリング
１０    物品情報
１０ａ  ロット番号
１２    保護袋
１３    開口
１５    折返部
【図１】
0003179494.tif 000003
【図２】
0003179494.tif 000004
【図３】
0003179494.tif 000005
【図４】
0003179494.tif 000006